(57)【要約】【課題】より効果的、効率的に画像形成装置の各部を支持する構成を提供すること。【解決手段】転写材を格納して搬送する給送部と、搬送された転写材に画像を形成する画像形成部と、前記各部を構成する枠体と、を有する画像形成装置において、前記各部を構成する枠体はそれぞれ少なくとも２枚ずつの側板で形成され、前記各部の側板が接する稜線部は、本体内側方向に折り曲げられた構成であることを特徴とする。【選択図】　図２
2004037903.tif 000002
【特許請求の範囲】
【請求項１】
転写材を格納して搬送する給送部と、搬送された転写材に画像を形成する画像形成部と、前記各部を構成する枠体と、を有する画像形成装置において、
前記各部を構成する枠体はそれぞれ少なくとも２枚ずつの側板で形成され、
前記各部の側板が接する稜線部は、本体内側方向に折り曲げられた構成であることを特徴とする画像形成装置。
【請求項２】
請求項１に記載の画像形成装置において、
前記給送部と前記画像形成部とが独立して枠体を有し、
前記稜線部にて前記給送部と前記画像形成部とが分けられることを特徴とする画像形成装置。
【請求項３】
請求項１又は請求項２に記載の画像形成装置において、
前記側板の背面側に電気実装部品を配置することを特徴とする画像形成装置。
【発明の詳細な説明】
【０００１】
【発明の属する技術分野】
本発明は画像形成装置に関する。
【０００２】
【従来の技術】
従来、高速デジタル複合機や、カラー複合機などは高機能、高耐久性を要求されるために非常に多くの部品で組みあがっている。それらは一般的に構造体である前後側板に組みつけられる。精密機器である複合機では多くの部品は正確に配置できなければ、本体として必要とされる性能（再現性や色ズレ量の最小化等の性能）を十分発揮出来ないため、前側板、後側板の平面度や穴位置は高い精度が要求されている。また近年の複合機は設置スペースのコンパクト化が求められ、多くの部品を横幅でなく、高さ方向が延びるように配置される。その結果、設置面積が小さくて高性能な機械が出来上がる。
【０００３】
【発明が解決しようとする課題】
しかしながら上記従来例では以下のような問題点があった。前述の高速デジタル複合機や、カラー複合機などは高機能、高耐久性を要求されるために非常に部品点数が多く、また複雑なリンクを多用していることが多い。その結果、機械本体は大きくまた重いものになっていた。それらは前述の通り、設置時の床面積を極力減らすために、上方に伸びた構造体に必要な部品を上方向へ取り付けていく構成となっている。
【０００４】
そのため、構造体である前側板、後側板は重い部品を取り付けても撓まない、曲がらないといった強い強度を必要とし、また精度も高いものが要求される。従って各側板は板厚の厚い板金を用いて一部品で作成することが通常であった。これにより各側板は非常に大きくまた重くなり、成型時の取り回しや材料費、部品の搬送等でコストがかかってしまっていた。また、通常、ドラムなどの画像形成部のユニットは非常に重いものになり、給送部のユニットは非常に軽いものになるが、側板の強度としては重い方を支えるだけの強度が必要であり、給送部がある下半身部の側板部に関しては必要以上の強度があることも挙げられる。
【０００５】
そこで本発明の目的は、より効果的、効率的に画像形成装置の各部を支持する構成を提供することである。
【０００６】
【課題を解決するための手段】
上記目的を達成するための、本発明の代表的な構成は、転写材を格納して搬送する給送部と、搬送された転写材に画像を形成する画像形成部と、前記各部を構成する枠体と、を有する画像形成装置において、前記各部を構成する枠体はそれぞれ少なくとも２枚ずつの側板で形成され、前記各部の側板が接する稜線部は、本体内側方向に折り曲げられた構成であることを特徴とする。
【０００７】
【発明の実施の形態】
（実施形態）
本発明の実施形態について図を用いて説明する。図１は画像形成装置の全体構成図であり、図２は側板及びサイドステーの分解図であり、図３は側板及びサイドステーが組み立てられた状況を側面から見た図であり、図４は側板及びサイドステーが組み立てられた状況を背面から見た図である。
【０００８】
（画像形成装置）
画像形成装置としてデジタル複合機１０を例示して説明する。図１に示すように、デジタル複合機１０は、右デッキ１１、左デッキ１２、二段のカセット１３、１４の４つの給送部を有している。カセット１３、１４は５００枚の積載が可能なユニバーサルカセットと呼ばれる、スモールサイズからラージサイズまでの各転写材のサイズに対応している。
【０００９】
デッキ１１、１２はスモールサイズ（Ａ４、ＬＴＲ）１５００枚の転写材をセットできる収納庫を有しており、合計３０００枚の積載能力を持ち、メインの給送部として良く使われる転写材をセットする。コピー開始と共に、リーダー部１５により原稿を読み取り、給送部から搬送された転写材はレジ１６を通過して転写手段１７によりトナーを感光体ドラム１８から転写され、搬送部１９により定着器２０に導かれ定着し、機外へ排出される。
【００１０】
この複合機は、プリンタ部と呼ばれる給送部Ａ及び給送部以外である画像形成部Ｂの２パートの部分と、リーダー部１５から成り立ち（図１）、リーダー部１５を除くプリンタ部は上下に分割され、その各々は枠体を有している（リーダー部は完全独立）。
【００１１】
（側板及びサイドステーの構成）
図２乃至図４に示すように、画像形成装置の枠体は基本的に前後側板５１〜５４とサイドステー５５〜６２から成り、さらに給送部枠体に関しては本体の底板６３を有し、画像形成部枠体にの上部にリーダー受け面６４を有する。また、各側板は撓んだり曲がったりしないための強度を必要とするため、稜線部に曲げ部５１ａ〜５１ｄ、５２ａ〜５２ｄ、５３ａ〜５３ｄ、５４ａ〜５４ｄを有する。該曲げ部、は画像形成部側側板５１、５２と給送部側板５３、５４が接しあう部分５１ａ、５２ａ、５３ａ、５４ａのみが本体内側に曲げられ、その他の部分は外に曲げられている（図２の５１ｂ〜ｄ、５２ｂ〜ｄ、５３ｂ〜ｄ、５４ｂ〜ｄ）。これにより、各側板の高さ方向の長さを短く構成することができる。更に箱曲げの板となるので強度が十分保障され、重い部品を取り付けても撓まない、曲がらないといった強い強度となる。このため、成型時の取り回しや材料費、部品の搬送等でコストを削減することができる。
【００１２】
また、給送部Ａと画像形成部Ｂとでは抱えるユニットの重さが違うため、重いユニットが多い画像形成部Ｂの側板５１、５２の板厚は厚いものを、給送部Ａの側板５３、５４は板厚の薄いものを使うことができる。そして機械を構成する各部品は前記枠体に取り付けられ、その各枠体の５１ａ、５２ａ、５３ａ、５４ａをビス結合することで一つの製品になる。このため、給送部に配設される側板に必要以上の強度を持たせなくともよい。
【００１３】
デジタル複合機は、ユーザーの操作性を考えてカセット、その他のユニットをフロントローディング（前方引出し式）にしており、その為に前側板は大きく切りかかれている。よって各部品の多くは、後側板の背面に取り付けられる。図４に示すように、そのうちの電装関係部品（電源、束線等）はその他の部品である各モータ、センサ、その他を制御する為、後側板全体に配置されている。それらは給送部Ａと画像形成部Ｂにまたがっているものも存在する。本発明の画像形成装置の枠体は上下の接触稜線部は内曲げになっているので、下と上との通信手段である束線や、下と上にまたいだ駆動ベルトを用いた駆動系では曲げの段差を気にせず、従来通りの配置が実現可能となる。
【００１４】
以上のように構成したことにより、各側板を適正な板厚とサイズにすることが出来てなおかつ、曲げの立ち上がりを内側にすることで、１枚側板と変わらない部品の配置が可能となる。また、画像形成装置が給送部と画像形成部に組み立て上分けることが可能となり、次期製品へのリサイクル性や流用性が良くなる。また、後側板側に電気実装部品を取り付けることにより、前側板側を空きスペースにすることが可能となり、フロントローディング式の機械を作ることが可能となる。更に、各側板を適正な板厚とサイズにすることが出来てなおかつ、曲げの立ち上がりを内側にすることで、１枚側板と変わらない部品の配置が可能となる。
【００１５】
（他の実施形態）
前述した実施形態においては、リーダー部１５は別体に構成したが、これに限るものではなく、画像形成部Ｂと一体に構成しても良い。また、各側板は全稜線を曲げているが、外に曲げている部分は無くして、別の部材で形成しても問題ない。また、画像形成装置として複写機を例示して説明したが、これに限るものではなく、ファクシミリ装置やプリンタであってもよい。
【００１６】
【発明の効果】
以上のように、本発明においては、転写材を格納して搬送する給送部と、搬送された転写材に画像を形成する画像形成部と、前記各部を構成する枠体と、を有する画像形成装置において、前記各部を構成する枠体はそれぞれ少なくとも２枚ずつの側板で形成され、前記各部の側板が接する稜線部は、本体内側方向に折り曲げられた構成であることを特徴とする。このため、より効果的、効率的に画像形成装置の各部を支持する構成を提供することができる。
【図面の簡単な説明】
【図１】画像形成装置の全体構成図である。
【図２】側板及びサイドステーの分解図である。
【図３】側板及びサイドステーが組み立てられた状況を側面から見た図である。
【図４】側板及びサイドステーが組み立てられた状況を背面から見た図である。
【符号の説明】
Ａ　　　　…給送部
Ｂ　　　　…画像形成部
１０　　　　…デジタル複合機
１１　　　　…右デッキ
１２　　　　…左デッキ
１３　　　　…カセット
１４　　　　…カセット
１５　　　　…リーダー部
１６　　　　…レジ
１７　　　　…転写手段
１８　　　　…感光体ドラム
１９　　　　…搬送部
２０　　　　…定着器
５１　　　　…画像形成部側側板
５２　　　　…画像形成部側側板
５３　　　　…給送部側板
５４　　　　…給送部側板
５５　　　　…サイドステー
５６　　　　…サイドステー
５７　　　　…サイドステー
５８　　　　…サイドステー
５９　　　　…サイドステー
６０　　　　…サイドステー
６１　　　　…サイドステー
６２　　　　…サイドステー
６３　　　　…底板
６４　　　　…リーダー受け面
【図１】
2004037903.tif 000003
【図２】
2004037903.tif 000004
【図３】
2004037903.tif 000005
【図４】
2004037903.tif 000006